(57)【要約】  住宅床（１０）のための火災防護壁およびその構造の方法であって、本構造は、床下の空間内に現にある火事にいったん晒された初期の破損に対して弱い種類の軽量根太（１１）上に支えられた床（１０）と、根太の下に吊るされた一連の細長い鋼メインティー（２１）であって、ティーは２フィートの公称寸法によって並列に間隔を置いて配置され、上部の空洞強化バルブと、バルブから下方へ延伸する中心垂直ウェブと、ウェブの両面から横方向に延伸する水平フランジとを有するティーと、隣接する対のティーのフランジの上部面上に保持された乾式壁パネル（２２）であって、乾式壁パネルはティーのセンタ間距離よりもわずかに短い幅を有し、パネルの大部分は８フィート以上の長さを有する乾式壁パネルとを備える。【選択図】図１
2014511952.tif 000002
【特許請求の範囲】
【請求項１】
住宅の構造体において、
床下の空間内に現にある火事にいったん晒された初期の破損に対して弱い種類の軽量根太上に支えられた床と、
前記根太の下に吊るされた一連の細長い鋼メインティーであって、前記ティーは２フィートの公称寸法によって並列に間隔を置いて配置され、上部の空洞強化バルブと、前記バルブから下方へ延伸する中心垂直ウェブと、前記ウェブの両面から横方向に延伸する水平フランジとを有する前記ティーと、
隣接する対のティーの前記フランジの上部面上に保持された乾式壁パネルであって、前記乾式壁パネルは前記ティーのセンタ間距離よりもわずかに短い幅を有し、前記パネルの大部分は８フィート以上の長さを有する前記乾式壁パネルと
を備える構造。
【請求項２】
格子ティーが、最初に述べたパネルに縦並びに配置された、単一の乾式壁パネルおよび付加的なパネルの長さよりも大きな寸法を有するエリアにわたって延伸する請求項１に記載の構造。
【請求項３】
交叉ティーが、前記縦並びの乾式壁パネルの端部間の接合面を埋めるために、前記端部間に配置される請求項２に記載の構造。
【請求項４】
前記乾式壁パネルによって保護された空間の外周にて側壁角を含み、前記側壁角は、側壁角の鉛直脚から打ち抜かれた、曲げることができるタブを有する請求項１に記載の構造。
【請求項５】
前記ティーは、前記曲げることができるタブのそれぞれの１つにタッピンねじにより取り付けられる請求項４に記載の構造。
【請求項６】
軽量木製床用根太をその下の空間の火事から保護する方法であって、
根太から平行に、かつ２フィートのセンタ上に標準メインティーを吊るすステップと、
パネルが傾けられ、下方からその後下方へ、隣接するティー間の空間内に横方向にシフトされ、前記ティーのフランジ上の位置に横方向にシフトされることを可能にしながら、前記根太の底部の比較的近くに前記ティーを配置するステップと、
長さ８フィートまたは前記ティーのフランジ上の幅約２３・３／４インチより大きな細長い乾式壁パネルを設置するステップと
を含む方法。
【請求項７】
前記保護される根太によって範囲が定められた空間、および前記メインティーランの長さは、単一の乾式壁パネルの長さよりも長く、交叉ティーが、２つの乾式壁パネル間の接合部にてメインティー間に配置される請求項６に記載の方法。
【発明の詳細な説明】
【技術分野】
【０００１】
本発明は、建築構造に関し、特に、床用根太を低費用で耐火性にするための方法および物質に関する。
【背景技術】
【０００２】
居住用財産内の無防備で軽量の根太構造は、通常の環境では適切であるが、火事における初期の構造破損に対して弱いかもしれないことが、最近の見聞により明らかになった。この環境は、火事によってその下が危険に晒された床エリア上を歩いて、弱くなったエリアを通じて落下する居住者および消防士または他の救援者に対して厳しいリスクをもたらす。軽量の根太がその下で発生する火事に耐えることができる時間を延ばすために、軽量の根太を保護するための実用的で低価格の方法の必要性が存在する。スプリンクラ装置は、設置するのに費用がかかり、定期修理や検査を必要とし、しかも凍結に弱い。従来の乾式壁天井は、テーピングを必要とし、設備の点検、修理、および変更、または他の目的のための根太空間への即座のアクセス（ｒｅａｄｙ  ａｃｃｅｓｓ）をなくす。軽量の根太構造は、典型的には加工された材根太を含む。これらの加工された材根太は、最も一般的には、ＯＳＢウェブおよび木材フランジを有する木製Ｉ形梁、または、木材部品に接続された金属板で作られた直弦トラスの形式である。
【発明の概要】
【発明が解決しようとする課題】
【０００３】
本発明は、床下で生じる火事から、限られた時間の間、住宅床を保護するための方法およびシステムを提供する。本発明は、付加的な利点を与えながら、比較的低コストであるレベルの保護を実現するための新規の方式に、通常材料を利用する。
【課題を解決するための手段】
【０００４】
より具体的には、防火障壁層または天井を構成するために、本発明は、耐火乾式壁パネルに、ある吊天井格子部品を組み合わせる。防火障壁層は、床下に現にある火事の熱および炎から軽量の床用根太を保護する。障壁層は、ある期間（例えば３０分）の保護を与える。
【０００５】
システムの乾式壁パネルは、従来の天井構造の特徴的な４フィートのセンタとは違う２フィートのセンタ上に平行に配置されたメインティーランナ上に保持される。パネルは、パネルが隣接するランナ間に適合するように、２フィート寸法をわずかに下回る幅で供給される、またはその幅に切断される。メインランナ間の多数の交叉ティーまたはランナにより格子が構築される従来の天井の手法とは異なり、交叉ランナは、本発明の手法に用いられるとしてもごくわずかである。さらに、従来の吊り天井構造と異なり、乾式壁パネルは、例えば、８、１０、または１２フィートの長さで供給される。このパネル長は、保護される床エリアの寸法に応じて、全部ではないが、大部分の交叉ランナの使用を省く。
【０００６】
床エリアの寸法がパネルよりも長い場合、交叉ティーを、２つのパネルの端部間で用いることができる。この技術は、さもなければこれらのパネル間の露出した接合部になるであろうものをテーピングする必要をなくす。障壁層の面が設備によって貫通される場合、パネルを、貫通に接する横線にわたって切断することができ、切り欠きを、貫通する物体のために作ることができる。交叉ティーを、横切断にてパネルを支えるために用いることができる。
【０００７】
前述のものから、本発明が最小限の物質および労働コストで通常材料を用いて経済的な防火障壁層を提供することがわかる。障壁層は、保護された床の上の空間への音響伝送を低減することができる。乾式壁パネルの設置後、格子ランナだけでなく乾式壁パネルも塗装することができる。塗装されても、されなくても、パネルは、防火障壁層より下の空間の光反射率を向上させることができる。
【図面の簡単な説明】
【０００８】
【図１】床用根太と平行な面に沿った、本発明の住宅床および防火障壁層を通じての断片的断面図である。
【図２】図１に示した面２−２に沿った床および防火障壁層の部分図である。
【図３】外壁における防火障壁層の等角投影部分図である。
【発明を実施するための形態】
【０００９】
図１および図２は、軽量木製根太１１を利用する典型的な住宅床構造１０を示す。図示する例において、根太１１は、典型的には、配向性ストランドボード（ＯＳＢ）ウェブ１２と製材フランジ（ｓａｗｎ  ｌｕｍｂｅｒ  ｆｌａｎｇｅｓ）１３とを有する木製Ｉ形梁である。他の軽量木製Ｉ形梁（図示せず）は、配管または他の設備のために、それらの長さに沿って間隔を置いて配置された開口部により作られたそれらのウェブファクトリ（ｗｅｂｓ  ｆａｃｔｏｒｙ）を有することができる。軽量木製根太は、さらに、逆刺のついた金属製平板によって接合された木材のその一部分により直弦トラス型になり得る。
【００１０】
記載されたような木製軽量根太は、堅い製材に対して多くの認められた有利性を有するが、残念なことに、木製軽量根太は、比較的短い期間に下からの火に晒されるという事態において重大な欠点を有する可能性がある。いくつかの研究は、従来の堅い製材根太による３０分と比較して、わずか６分後に機能しなくなる軽量木製根太を示した。
【００１１】
本発明は、下から火に晒された場合に、初期の炎上から住宅床を保護する低コストの防火障壁を提供する。根太が完成した天井により覆われていないと、住宅の地階の床用根太を火が急速に巻きこむ可能性がある典型的な状況が存在する。
【００１２】
本発明の防火障壁層は、コスト、複雑性、および取り付け労力を最小化するために、標準の建築材料および構成部品を利用する。本発明は、基本的な吊天井格子部材を用いるが、大部分は、長方形格子を省くことによってノルムから離れる。その代りに、貫通が必要としない場合、メインランナだけが規則的に用いられ、地階の部屋または区画の幅が広すぎて本発明の単一のパネル（通常８、１０、または１２フィートの長さ）が及ぶことができないときにのみ、交叉ランナが用いられる。
【００１３】
図１および図２を参照すると、防火障壁１６は、住宅床１０の下で組み立てられる。住宅床構造は、根太１１に加えて、典型的には、一方または両方が典型的には木質系の下地床１７および仕上床１８を備える。防火障壁または防火層１６は、２つの主要構成部品、すなわち、メインランナ２１と乾式壁パネル２２とを備える。メインランナ２１は、従来の吊天井格子ティーである。メインランナまたはティー２１は、典型的には、４フィートのセンタ上のティーに沿って間隔をおいたアタッチメントによって、根太１１上に吊るされる。
【００１４】
根太１１にティー２１を取り付けるための低コストの方法は、根太の下面２３内に釘を設置し、従来のハンガーワイヤを釘に巻き付け、それから、釘によりワイヤをロックするために釘を上方へ曲げることである。符号２４で示す吊線は、バルブ２７またはバルブと格子ティー２１の下部フランジ２６との間のウェブ２９内に前もって形成された穴部の１つを通ってループされ、次に、ティーを所望の高さに固定するために従来の方式内でそれ自体の上に巻き付けられる。根太１１の下面２３からティー２１の下部フランジ２６までの３インチまたは４インチの間隔が好適である。この間隔は、ランナの面の下から隣接する格子ランナ２１の間に、傾斜パネル２２を、以下に論じる寸法で組み立てるのを可能にする。
【００１５】
必要に応じて、金属クリップを、根太１１に取り付け、かつティーまたはランナの２１の２７と示されるバルブ上に嵌るように、設計することができる。別のアプローチは、根太１１に取り付けられた板金ブラケットにティー２１を取り付けることである。図１および図２の図示において、ティー２１は、根太１１に対して垂直方向に吊るされる。あるいは、ティー２１は、根太１１との平行配列で吊るすことができる。ティー２１の好ましい間隔２フィートのセンタから根太１１の個別のセンタ間間隔を占めるために、ストリンガーまたは他の手段を、根太１１に取り付けてもよい。
【００１６】
図３は、例えば、床用根太１１が下層にある横梁によって支えられる場合、防火障壁１６の外周、または防火障壁の中間域におけるティー２１の端部２８の支持体に関する本発明の態様を例示する。ティー端部２８は、特殊な側壁角３１で支えられる。側壁角３１は、ロール成形された鋼板ストックの従来の側壁角と同様である。側壁角３１の鉛直脚３２を、例えば６インチまたは１２インチの間隔を置いて配置されたセンタ上のタブ３３とともに打ち抜くことができる。側壁角のインストーラ（ｉｎｓｔａｌｌｅｒ）によって、タブ３３を、鉛直脚の面の外に曲げることができる。移動されたタブ３３は、タブおよびランナ２１の両方を通じて駆動されたタッピンねじ３４によりティー２１の端部２８を係留する。
【００１７】
耐火乾式壁は、４フィート×８フィート、１０フィート×１２フィート、またはさらに長い寸法を有するシート形状のものが市販で入手可能である。本発明を実施するために標準の耐火乾式壁シートを用いることができるが、このようなシートは、わずかに広すぎるので、２３・３／４インチ幅を有するパネルに、都合よく切断することができない。さらに、標準の乾式壁シートは、その長さに沿って先細り端を有する。本発明の防火障壁パネル２２は、幅４７・１／２インチで、かつ先細りにならずに特別に作られた耐火乾式壁シートを分割することによって、より好都合に作られる。
【００１８】
通常は据付現場にて半分に分割した場合のこのような乾式壁シートは、幅２３・３／４インチであって、２フィートのセンタに固定された従来のティー２１上に吊るすために理想的なパネルをもたらす。これら耐火乾式壁シートの特別の幅は、標準の８、１０、または１２フィートの長さを有することができる。
【００１９】
所定の位置に吊るされたメインランナまたはティー２１とともに、乾式壁パネル２１を、ティー上で組み立てることができる。これは、１対の隣接するティー２１の間の空間内にパネルの一方の長い端を可能な限り傾けることによって達成され、その結果、すぐ近くのティーのフランジ２６を通りすぎてパネルのより下部の反対側の端を引き上げ、そして、迂回されたフランジ上を後方にシフトすることができる。これに従うと、上に向いた端を所定の位置に引き下げることができる。パネル２１を用いるこのアセンブリは、吊天井タイルを天井格子上に設置するときに用いられるものと、典型的には類似する。
【００２０】
５／８インチ寸法の耐火乾式壁を製造するための製造設備を、パネル２１に好適な、わずかに狭く先細りしない幅４７・１／２インチにするために容易に変更することができる。標準のメインティーは、床寸法が例えば１２フィートよりも広い端と端との間に接合される。
【００２１】
床下の地階またはエリアの区画が、パネルとともに利用可能な寸法よりも大きい場合（例えば、８、１０、または１２フィート超）、左右方向に連続した別のパネルにより接合部を埋めるために、交叉ティー３６（図３）をパネルの端部に用いることができる。交叉ティー３６は、メインティー２１間で組み立てられ、それぞれのフランジ２６上で静止することができる。メインランナティー内に設けられる溝を受け入れる通常の交叉ティーのコネクタを組み立ててロックする必要がない場合、交叉ティー３６上の標準のエンドコネクタは不要である。
【００２２】
パイプやダクトなどの物体が障壁層１６の面を貫通する場合、物体に接する端およびその物体のための切り欠きを有するように、パネルを切断することができる。第１のパネル（ｆｉｒｓｔ  ｐａｎｅｌ）の反対側の物体の側面上の切り口と相補的なパネルとの間の接合部を埋めるために、交叉ティーを用いることができる。耐火乾式壁パネル２２、および、必要に応じて便宜のために、ティー２１を、塗装することができる。これは、それらの自然の反射率を超えて、パネル２２の光反射率を向上させるだろう。防火障壁１６は、地階エリアから床構造１０上の空間への音響の伝送を低減するためにさらに機能する。
【００２３】
この開示が、例のためのものであり、この開示に含まれる教示の適正な範囲から逸脱せずに、細部を追加、変更、または削除することによって、様々な変更を行ってもよいことは明白であるべきである。例えば、メートル単位系が普及している地理的な地域において、上記で示された寸法は、それらのメートル法換算値に対して変換可能である。したがって、本発明は、以下の請求項が必然的にそのように限定された場合を除き、この開示の特定の詳細な記述に限定されない。
【図１】
2014511952.tif 000003
【図２】
2014511952.tif 000004
【図３】
2014511952.tif 000005
【国際調査報告】
2014511952.tif 000006
2014511952.tif 000007